(57)【要約】【課題】装置の運転状況をより正確に評価することができる運転情報分析装置を提供する。【解決手段】複数の機器２１を含む装置２０の運転中に発生したイベント情報を収集する情報収集部１１と、収集されたイベント情報を整理して装置２０の運転状況の評価に用いる指標値を生成して蓄積する情報分析部１２と、情報分析部１２に蓄積された指標値を利用者に提示する情報提示部１３と、を備え、情報分析部１２は、装置の運転状態の変化に基づいて区切られる期間ごとに指標値を生成する。【選択図】図１
2018018233.tif 000002
【特許請求の範囲】
【請求項１】
複数の機器を含む装置の運転中に発生したイベント情報を収集する情報収集部と、
収集された前記イベント情報を整理して前記装置の運転状況の評価に用いる指標値を生成して蓄積する情報分析部と、
前記情報分析部に蓄積された前記指標値を利用者に提示する情報提示部と、
を備え、
前記情報分析部は、前記装置の運転状態の変化に基づいて区切られる期間ごとに前記指標値を生成することを特徴とする運転情報分析装置。
【請求項２】
前記運転状態の変化は、前記機器のいずれかの負荷の変化であることを特徴とする請求項１に記載の運転情報分析装置。
【請求項３】
前記運転状態の変化は、前記機器のいずれかに使用される燃料の種類の変化であることを特徴とする請求項１または請求項２に記載の運転情報分析装置。
【請求項４】
前記イベント情報は、前記装置の警報に関する情報、前記機器の操作に関する情報、前記機器の運転状態に関する情報、及び前記運転情報分析装置の警報に関する情報を含み、
前記情報分析部は、前記イベント情報の種類別に分類して前記指標値を生成して蓄積し、
前記情報提示部は、前記イベント情報の種類別に分類された前記指標値を前記利用者に提示することを特徴とする請求項１から請求項３のいずれか一項に記載の運転情報分析装置。
【請求項５】
前記情報分析部は、前記機器の種類別に分類して前記指標値を生成して蓄積し、
前記情報提示部は、前記機器の種類別に分類された前記指標値を前記利用者に提示することを特徴とする請求項１から請求項４のいずれか一項に記載の運転情報分析装置。
【請求項６】
前記情報提示部は、前記利用者によって任意に区切られた期間ごとに前記指標値を提示することを特徴とする請求項１から請求項５のいずれか一項に記載の運転情報分析装置。
【請求項７】
前記情報収集部は、前記装置のプロセス量を収集し、
前記情報分析部は、前記イベント情報と、前記イベント情報に関連する前記プロセス量の挙動とを対応させたデータを生成して蓄積し、
前記情報提示部は、前記情報分析部に蓄積された前記データを前記利用者に提示することを特徴とする請求項１から請求項６のいずれか一項に記載の運転情報分析装置。
【請求項８】
前記情報分析部は、前記機器の更新または修繕が行われたときに、更新または修繕が行われた前記機器と関連する指標値の蓄積を一旦停止し、新たに指標値を生成して蓄積することを特徴とする請求項１から請求項７のいずれか一項に記載の運転情報分析装置。
【請求項９】
前記情報分析部は、前記機器の更新または修繕が行われたときに、更新または修繕が行われた前記機器と関連する前記データの蓄積を一旦停止し、新たに前記データを生成して蓄積することを特徴とする請求項７に記載の運転情報分析装置。
【発明の詳細な説明】
【技術分野】
【０００１】
本発明は、運転情報分析装置に関する。
【背景技術】
【０００２】
従来、装置の運転に関する様々な情報を収集し、収集した情報を分析することで装置の運転状況を評価する技術が知られている。例えば、特許文献１には、分散型フィールド制御システムに接続された装置の運転状況を分析する運転状況分析システムであって、装置の制御状態または装置への操作に関する情報を収集し、当該情報に基づいて装置の活用度に関する指標値を算出し、当該指標値に基づいて複数の現場間における装置の活用度の比較分析を行うものが開示されている。
【先行技術文献】
【特許文献】
【０００３】
【特許文献１】特開２０１０−４４７８０号公報
【発明の概要】
【発明が解決しようとする課題】
【０００４】
上記特許文献１の運転状況分析システムは、例えば、１日ごとの制御値の設定値からのずれ量の積算値や、１日の中で特定の制御値が自動制御により制御されている合計時間等を指標値として用い、当該指標値を他の現場における同様の装置同士で比較することで、装置の活用度を比較分析している。しかしながら、例えば、装置に含まれる機器の運転負荷の変化や、機器に使用される燃料の種類の変化といった運転状態の変化が生じた場合、監視対象である装置のプロセス量やイベント情報の発生状況も変化する。このため、特許文献１の運転状況分析システムのように、１日ごと等、単位時間ごとに区切って指標値を分析するだけでは、装置の運転状況を正確に評価し得ない可能性がある。
【０００５】
本発明は、上記に鑑みてなされたものであって、装置の運転状況をより正確に評価することができる運転情報分析装置を提供することを目的とする。
【課題を解決するための手段】
【０００６】
上述した課題を解決し、目的を達成するために、本発明は、複数の機器を含む装置の運転中に発生したイベント情報を収集する情報収集部と、収集された前記イベント情報を整理して前記装置の運転状況の評価に用いる指標値を生成して蓄積する情報分析部と、前記情報分析部に蓄積された前記指標値を利用者に提示する情報提示部と、を備え、前記情報分析部は、前記装置の運転状態の変化に基づいて区切られる期間ごとに前記指標値を生成することを特徴とする。
【０００７】
本発明の運転情報分析装置では、装置の運転状態の変化に基づいて区切られる期間ごとに、装置の運転中に発生したイベント情報を整理して当該装置の運転状況の評価に用いる指標値を生成して蓄積し、蓄積された指標値を利用者に提示する。これにより、装置の運転状態が変化するごとに区切られて生成及び提示された装置の指標値を利用者が確認することができる。従って、本発明の運転情報分析装置によれば、装置の運転状況をより正確に評価することができる。
【０００８】
また、前記運転状態の変化は、前記機器のいずれかの負荷の変化であることが好ましい。これにより、機器のいずれかの負荷の変化に応じて、より正確に指標値を評価することができる。
【０００９】
また、前記運転状態の変化は、前記機器のいずれかに使用される燃料の種類の変化であることが好ましい。これにより、機器のいずれかに使用される燃料の種類の変化に応じて、より正確に指標値を評価することができる。
【００１０】
また、前記イベント情報は、前記装置の警報に関する情報、前記機器の操作に関する情報、前記機器の運転状態に関する情報、及び前記運転情報分析装置の警報に関する情報を含み、前記情報分析部は、前記イベント情報の種類別に分類して前記指標値を生成して蓄積し、前記情報提示部は、前記イベント情報の種類別に分類された前記指標値を前記利用者に提示することが好ましい。このように、警報や機器の操作、機器の運転状態といった装置に関するイベント情報ごとに指標値を分類して利用者に提示することで、利用者が装置の運転状況を容易に評価することができる。
【００１１】
また、前記情報分析部は、前記機器の種類別に分類して前記指標値を生成して蓄積し、前記情報提示部は、前記機器の種類別に分類された前記指標値を前記利用者に提示することが好ましい。このように、装置に含まれる機器ごとに指標値を分類して利用者に提示することで、利用者が装置の運転状況を容易に評価することができる。
【００１２】
また、前記情報提示部は、前記利用者によって任意に区切られた期間ごとに前記指標値を提示することが好ましい。これにより、利用者が確認したい期間における指標値だけを提示させることができるため、利用者が装置の運転状況を容易に評価することが可能となる。
【００１３】
また、前記情報収集部は、前記装置のプロセス量を収集し、前記情報分析部は、前記イベント情報と、前記イベント情報に関連する前記プロセス量の挙動とを対応させたデータを生成して蓄積し、前記情報提示部は、前記情報分析部に蓄積された前記データを前記利用者に提示することが好ましい。これにより、例えば警報といったイベントが発生した際の関連するプロセス量の挙動を利用者が容易に把握することができる。この結果、イベントの発生原因をより効率的に分析することが可能となる。
【００１４】
また、前記情報分析部は、前記機器の更新または修繕が行われたときに、更新または修繕が行われた前記機器と関連する指標値の蓄積を一旦停止し、新たに指標値を生成して蓄積することが好ましい。これにより、機器の更新または修繕によって、装置の運転状況にどのような影響を与えたかという効果の対比を容易に行い、機器の更新または修繕の前後における優劣を容易に評価することが可能となる。
【００１５】
また、前記情報分析部は、前記機器の更新または修繕が行われたときに、更新または修繕が行われた前記機器と関連する前記データの蓄積を一旦停止し、新たに前記データを生成して蓄積することが好ましい。これにより、機器の更新または修繕が行われる前後で、イベントが発生した際の関連プロセス量の挙動の変化を対比することができる。従って、イベントの発生原因をさらに効率的に分析することが可能となる。
【発明の効果】
【００１６】
本発明にかかる運転情報分析装置は、装置の運転状況をより正確に評価することができるという効果を奏する。
【図面の簡単な説明】
【００１７】
【図１】図１は、第１実施形態にかかる運転情報分析装置を示すブロック図である。
【図２】図２は、情報収集部が取得するイベント情報の一例を示す説明図である。
【図３】図３は、時間経過に従った発電機の負荷の変化を示す説明図である。
【図４】図４は、情報分析部において生成される指標値のデータベースの例を示す説明図である。
【図５】図５は、情報提示部により提示された分析結果の一例を示す説明図である。
【図６】図６は、情報提示部により提示された分析結果の一例を示す説明図である。
【図７】図７は、情報提示部により提示された分析結果の一例を示す説明図である。
【図８】図８は、情報提示部により提示された分析結果の一例を示す説明図である。
【図９】図９は、情報提示部により提示された分析結果の一例を示す説明図である。
【図１０】図１０は、情報提示部により提示された分析結果の一例を示す説明図である。
【図１１】図１１は、情報提示部により提示された分析結果の一例を示す説明図である。
【図１２】図１２は、第２実施形態にかかる運転情報分析装置を示すブロック図である。
【図１３】図１３は、イベント情報と、当該イベント情報に関連したプロセス量との対応関係の一例を示す説明図である。
【図１４】図１４は、イベント情報と関連プロセス量の挙動との分析結果の一例を示す説明図である。
【図１５】図１５は、第３実施形態にかかる運転情報分析装置を示すブロック図である。
【発明を実施するための形態】
【００１８】
以下に、本発明にかかる運転情報分析装置の実施形態を図面に基づいて詳細に説明する。なお、この実施形態によりこの発明が限定されるものではない。
【００１９】
[第１実施形態]
図１は、第１実施形態にかかる運転情報分析装置を示すブロック図である。運転情報分析装置１０は、例えば発電プラントといった装置２０の運転状況を分析すると共に、分析した結果を利用者に提示するためのシステムである。利用者は、装置２０の製造者、販売者、または装置２０を実際に運用する運用者等である。装置２０は、発電機２１ｇを含む複数の機器２１と、複数の機器２１を制御する制御装置２２とを備えている。複数の機器２１は、発電機２１ｇを駆動するための機器（例えばガスタービンや蒸気タービン等）、ポンプ、ファン、各種弁設備等である。制御装置２２は、これらの機器２１のプロセス量Ｐを制御する。また、制御装置２２は、装置２０の運転時に発生する各種イベント情報を記憶する記憶部としても機能する。
【００２０】
運転情報分析装置１０は、制御装置２２と通信して装置２０のイベント情報Ｘを収集する情報収集部１１と、情報収集部１１によって取集された装置２０のイベント情報Ｘを整理して、装置２０の運転状況の評価に用いる複数の指標値のデータベースＹを生成・蓄積する情報分析部１２と、情報分析部１２で生成された複数の指標値のデータベースＹを分析結果Ｚとして利用者に提示する情報提示部１３とを備える。
【００２１】
情報収集部１１は、制御装置２２とネットワークを介して通信可能であり、制御装置２２から所定期間（例えば、毎時、毎日等）ごとに制御装置２２から装置２０のイベント情報Ｘを自動的に取得し、記憶する。ただし、情報収集部１１は、制御装置２２に記憶された装置２０のイベント情報Ｘを例えばＤＶＤ−ＲＯＭといった記憶媒体を介して利用者の手動によって取得してもよい。
【００２２】
装置２０の運転中に発生するイベント情報Ｘは、装置２０の各機器２１で発生した警報に関する情報、各機器２１の運転状態に関する情報、各機器２１の操作に関する情報を含む（図３参照）。各機器２１の操作に関する情報は、各機器２１の運転操作に関する情報、及び各機器２１の調整操作に関する情報を含む。また、イベント情報Ｘは、運転情報分析装置１０で発生したシステム警報に関する情報も含む。
【００２３】
各機器２１で発生した警報に関する情報は、各機器２１の故障や異常に関する警報、各機器２１のプロセス量Ｐが制御上の管理値を超えた場合に発せられる警報等の情報を含む。本実施形態では、警報が発せられた場合を「発生」と定義し、警報が停止された場合を「復帰」と定義する。
【００２４】
各機器２１の運転状態に関する情報は、各機器２１の発停動作の情報や、機器２１が複数の運転モードを有する場合に、いかなる運転モードで運転されているかといった情報を含む。各機器２１の発停動作とは、機器２１が例えばポンプやファン、モータ等であれば、発動指示または停止指示が行われたことを意味し、機器２１が弁設備であれば、弁の開指示または閉指示が行われたことを意味する。本実施形態では、機器２１ごとに、発停動作（発動指示または停止指示、あるいは、開指示または閉指示）の一方がなされた場合を「オン」と定義し、他方がなされた場合を「オフ」と定義する。
【００２５】
各機器２１の運転操作に関する情報は、各機器２１に対して行われた発停や運転モードの変更以外の何らかの操作指示に関する情報を含む。各機器２１の運転操作は、例えば、各機器２１について、運転目標とする流量や圧力、温度といったプロセス量Ｐに関する制御上の設定値を変更する操作を含む。各機器２１の運転操作は、主として運転員（オペレータ）により行われる。各機器２１の調整操作に関する情報は、各機器２１の制御上のロジックに関わる操作指示に関する情報を含む。各機器２１の調整操作は、例えば、制御において入力値や検出値に対する応答速度の設定値やゲインの設定値といった、各機器２１の制御上のパラメータ値を変更する操作を含む。各機器２１の調整操作は、主として保守員により行われる。
【００２６】
運転情報分析装置１０で発生したシステム警報に関する情報は、例えば制御装置２２と情報収集部１１との通信が遮断された場合や、運転情報分析装置１０内において何らかの異常が発生した場合等に発せられる警報に関する情報を含む。
【００２７】
図２は、情報収集部１１が取得するイベント情報Ｘの一例を示す説明図である。図示するように、イベント情報Ｘとしては、当該イベントが発生した時刻の情報、当該イベントが発生した機器２１の予め設定された種類コード、イベントの具体的内容としてのメッセージ、その他イベントに関する情報（例えば該当する機器２１が属するプラント階層に関する情報等）が含まれる。なお、図２では、メッセージの一例として、機器２１に発生した警報の具体的内容を示している。
【００２８】
情報分析部１２は、イベント情報Ｘを情報収集部１１から取得し、装置２０の運転状態に基づいて区切られる期間ごとに、複数の指標値のデータベースＹを生成して蓄積する。ここで、本実施形態において、装置２０の運転状態の変化とは、発電機２１ｇの運転負荷の変化、及び発電機２１ｇを駆動するための機器２１（例えば、ガスタービンや蒸気タービン等）において使用される燃料の種類の変化である。
【００２９】
発電機２１ｇの運転負荷の変化は、発電機２１ｇの起動過程、定格運転過程、部分負荷運転過程、最低負荷運転過程、停止過程、及び停止中といった発電機２１ｇの状態ごとに変化する。起動過程は、例えば、発電機２１ｇが定格負荷の３５％以下の出力で、出力変動なしに所定時間を経過するまで運転されている過程である。定格運転過程は、例えば、発電機２１ｇが定格負荷の９０％以上の出力で運転されている過程である。部分負荷運転過程は、例えば、発電機２１ｇが定格負荷の４０％以上９０％未満の出力で運転されている過程である。最低負荷運転過程は、例えば、発電機２１ｇが定格負荷の４０％未満の出力で運転されている過程である。停止過程は、発電機２１ｇが定格負荷の５％以上３５％未満の出力で運転されながら、発電機２１ｇの運転が停止されるまでの過程である。停止中は、発電機２１ｇの運転が停止されている状態である。
【００３０】
図３は、時間経過に従った発電機２１ｇの負荷の変化を示す説明図である。図３の横軸は、日付であり、縦軸は、発電機２１ｇの負荷である。図３において破線で囲んだ範囲は、発電機２１ｇの起動過程の期間であり、二点鎖線で囲んだ範囲は、発電機２１ｇの通常運転過程（定格運転過程、部分負荷運転過程および最低負荷運転過程のいずれか）の期間である。図示するように、発電機２１ｇの負荷は、各過程において異なるものであり、このような発電機２１ｇの運転負荷の変化、あるいは発電機２１ｇを駆動するための機器２１において使用される燃料の種類に変化が生じると、装置２０で発生する各種イベントの傾向も変化しやすい。そのため、発電機２１ｇの運転負荷の変化や使用される燃料の種類の変化に応じて指標値のデータベースＹを生成する期間を区切ることで、指標値に基づいて装置２０の運転状況の評価をより正確に行うことができる。
【００３１】
図４は、情報分析部１２において生成される指標値のデータベースＹの例を示す説明図である。指標値のデータベースＹは、イベント情報Ｘの種類別に分類して生成される。イベント情報Ｘの種類とは、上述したように、装置２０の各機器２１で発生した警報に関する情報、各機器２１の運転状態に関する情報、各機器２１の運転操作に関する情報、各機器２１の調整操作に関する情報、及び運転情報分析装置１０で発生したシステム警報に関する情報である。なお、イベント情報Ｘの種類別による分類は、これに限られない。
【００３２】
また、情報分析部１２は、各機器２１の種類別に分類して指標値のデータベースＹを生成する。本実施形態では、各機器２１の運転状態に関する情報について、各機器２１の種類別に分類した指標値のデータベースＹを生成する。情報分析部１２は、例えば装置２０に含まれるポンプやファン、弁設備等ごとに分類して、機器２１の運転状態に関する情報についての指標値のデータベースＹを生成する。なお、情報分析部１２は、警報に関する情報、運転操作に関する情報、及び調整操作に関する情報についても、各機器２１の種類別に分類して指標値のデータベースＹを生成してもよい。
【００３３】
次に、指標値の具体的な内容について説明する。情報分析部１２は、機器２１の警報に関する指標値として、警報の発生頻度（発生総数）、時系列に従った警報の発生および復帰の順序、各警報の発生間隔、各警報の発生時間長等のデータベースＹを生成する。また、情報分析部１２は、警報の発生頻度（発生総数）について、発生頻度が多い順に上位３０種類の件数を抽出したデータベースＹを生成する。
【００３４】
情報分析部１２は、機器２１の運転状態に関する指標値として、各機器２１の発停頻度（発停動作の総数）、時系列に従った各機器２１の発停順序、各機器２１の発停間隔、各機器２１の運転状態（オン状態、オフ状態、または各運転モードでの運転状態）ごとの時間長等のデータベースＹを生成する。また、情報分析部１２は、各機器２１の発停頻度（発停動作の総数）について、発停頻度が多い順に上位３０種類の件数を抽出したデータベースＹを生成する。
【００３５】
情報分析部１２は、機器２１の運転操作に関する指標値として、機器２１に対する運転操作頻度（運転操作指示の総数）、時系列に従った機器２１に対する運転操作の順序、機器２１のプロセス量Ｐに関する制御上の設定値変更回数、時系列に従った設定値変更順序、運転操作頻度の推移等のデータベースＹを生成する。また、情報分析部１２は、運転操作頻度（操作指示の総数）について、運転操作頻度が多い順に上位３０種類の件数を抽出したデータベースＹを生成する。
【００３６】
情報分析部１２は、機器２１の調整操作に関する指標値として、機器２１に対する調整操作頻度（操作指示の総数）、時系列に従った機器２１に対する調整操作の順序、機器２１の制御上のパラメータ変更回数、時系列に従ったパラメータ変更順序等のデータベースＹを生成する。
【００３７】
情報分析部１２は、運転情報分析装置１０で発生したシステム警報に関する指標値として、警報の発生頻度（発生総数）、時系列に従った警報の発生および復帰の順序、各警報の発生間隔、各警報の発生時間長等のデータベースＹを生成する。
【００３８】
情報提示部１３は、情報分析部１２から取得した指標値のデータベースＹを図示しない外部接続のパーソナルコンピュータの表計算アプリケーション等で利用可能なデータに変換し、当該変換したデータを装置２０の運転状況の分析結果Ｚとして当該パーソナルコンピュータに送信する。利用者は、当該パーソナルコンピュータを介して分析結果Ｚを閲覧することができる。なお、運転情報分析装置１０は、分析結果Ｚを表示するためのモニタを有してもよく、情報提示部１３は、当該モニタに分析結果Ｚを表示させるものであってもよい。
【００３９】
本実施形態において、情報提示部１３は、利用者によって任意に区切られた期間ごと、また、利用者によって任意に選択されたイベント情報Ｘの種類別や機器２１の種類別に指標値のデータベースＹを分析結果Ｚとして提示する。また、本実施形態において、情報提示部１３は、指標値のデータベースＹのうち、利用者からの要求に応じたものを分析結果Ｚとして提示する。以下、情報提示部１３によって提示される分析結果Ｚの例について説明する。
【００４０】
図５から図１１は、情報提示部１３により提示された分析結果Ｚの一例を示す説明図である。図５の分析結果Ｚの例は、利用者が任意に選択した機器２１の種類別の時系列に従った発停順序を示す。“Ｔｉｍｅ”の欄には、機器２１の発停が行われた日時が表示されており、“Ｔａｇ”の欄には、機器２１の種類コードが表示されており、“Ｍｅｓｓｅｇｅ”の欄には、各機器２１の名称と発停動作の具体的内容（発動指示または停止指示、弁設備の開指示または閉指示）とが示されている。これにより、機器２１の種類別に、時系列に従って、各機器２１がどのタイミングで、どの順序で発停したかを利用者が容易に把握することができる。
【００４１】
図６の分析結果Ｚの例は、利用者が任意で区切った期間における機器２１の発停頻度の上位３０種類を示す。任意に区切られた期間は、例えば、毎時、毎日、毎週、毎月、半年、一年などから利用者が選択することができる。図６に示す例では、２０１６年５月７日を期間の対象としている。“Ｍｅｓｓｅｇｅ”の欄は、機器２１の種類コードと、機器２１の名称及び発停動作の具体的内容とを表示している。“データ個数１”の欄は、機器２１ごとに定義される「オン」に該当する発停動作が行われた回数を表示し、“データ個数２”の欄は、機器２１ごとに定義される「オフ」に該当する発停動作が行われた回数を表示し、“総計”の欄は、「オン」および「オフ」の総数を表示している。これにより、利用者が任意に指定した期間において、複数の機器２１のいずれにおいて発停動作が多く行われたかを、利用者が容易に把握することができる。
【００４２】
図７の分析結果Ｚの例は、利用者が任意で区切った期間（例えば２０１６年５月の１カ月間）、利用者が任意に選択した機器２１ごとの発停頻度を示す。図７において、“Ｔａｇ”の欄は、特定の機器２１の種類コードを表示し、“Ｍｅｓｓａｇｅ”の欄は、当該機器２１の名称および発停情報の内容を表示し、“データ個数１”の欄は、当該機器２１ごとに定義される「オン」に該当する発停動作が行われた回数を表示し、“データ個数２”の欄は、当該機器２１ごとに定義される「オフ」に該当する発停動作が行われた回数を表示し、“時刻”の欄は、機器２１の発停が行われた時刻を示している。例えば、“時刻”の欄を「オン」に該当する発停動作と「オフ」に該当する発停動作とで異なる文字色で表示するものとすれば、利用者が任意で区切った期間、利用者が任意に選択した機器２１について、全体の発停頻度を把握しながら、いかなるタイミングで発停が行われたかを利用者が容易に把握することができる。
【００４３】
図８の分析結果Ｚの例も、図７と同様に、利用者が任意で区切った期間（例えば２０１６年５月の１カ月間）、利用者が任意に選択した機器２１ごとの発停頻度を示す。図８において、“Ｔａｇ”、“Ｍｅｓｓａｇｅ”、“データ個数１”、“データ個数２”の欄は、図７の各欄と同じである。図７において、“オン時間集計”の欄は、機器２１ごとに定義される「オン」に該当する発停動作が行われていた総時間を表示する。これにより、利用者が任意で区切った期間、利用者が任意に選択した機器２１について、全体の発停頻度を把握しながら、機器２１の発停動作が行われていた総時間を利用者が容易に把握することができる。
【００４４】
図６から図８の例では、利用者が任意で区切った期間における機器２１の発停頻度に関する分析結果Ｚの例を示したが、期間は、装置２０の運転状態の変化に応じて区切られるものであってもよい。例えば、図３において破線で囲んだ発電機２１ｇの起動過程と、二点鎖線で囲んだ発電機２１ｇの定格運転過程のそれぞれにおいて、図６から図８と同様に、機器２１の発停頻度の上位３０種類や、利用者が任意に選択した機器２１ごとの発停頻度、発停動作の時刻、「オン」に該当する発停動作が行われていた総時間等を提示するものとすれば、各過程において発生した機器２１の発停動作がいかなるものであったか、利用者が容易に把握することが可能となる。
【００４５】
図９の分析結果Ｚの例は、装置２０の運転状態の変化に基づいて区切られた期間、かつ利用者が任意で区切った期間ごとのイベント情報Ｘの種類別の発生頻度を示す。期間は、発電機２１ｇの起動過程（５月１日から５月３日まで）、停止過程および起動過程（５月１７日および５月１８日）、通常運転過程（５月から８月まで一月ごと）に区切られている。イベント情報Ｘの種類は、機器２１の警報の上位３０種類の発生総数、機器２１の発停動作の上位３０種類の発生総数、機器２１の上位３０種類の運転操作総数、機器２１の調整操作総数、運転情報分析装置１０で発生したシステム警報の発生総数である。機器２１の警報については、上位３０種類の警報の発生総数と、上位３０種類の復帰の発生総数、及び上位３０種類以外の警報も含んだ発生総数が表示されている。機器２１の発停動作については、上位３０種類の「オン」に該当する発停動作の発生総数、上位３０種類の「オフ」に該当する発停動作の発生総数、及び上位３０種類以外の発停動作も含んだ発生総数が表示されている。機器２１の運転操作については、上位３０種類の運転操作総数、及び上位３０種類以外の運転操作も含んだ発生総数が表示されている。運転情報分析装置１０で発生したシステム警報については、警報の発生総数、及び復帰の発生総数が表示されている。また、“備考”の欄には、特に発生総数が多かった項目（図中の※印が付されている項目）について、その内訳の一部等を示している。これにより、装置２０の運転状態（発電機２１ｇの負荷）が変化するごとに、機器２１の警報や発停動作、運転操作、調整操作、及び運転情報分析装置１０で発生したシステム警報がどのような頻度で発生していたかを利用者が容易に把握することができる。
【００４６】
また、情報提示部１３による情報の提示は、これまでに示したような表によるものだけには限られない。図１０の分析結果Ｚの例は、発電機２１ｇの起動過程の期間（図３において破線で囲んだ期間）において、利用者が任意に選んだ機器２１の発停頻度を円グラフにより示したものである。図１１の分析結果Ｚの例は、発電機２１ｇの通常運転過程の期間（図３において二点鎖線で囲んだ期間）において、利用者が任意に選んだ機器２１の発停頻度を円グラフにより示したものである。このように、発電機２１ｇの負荷が変化するごとに期間を区切り、各期間における機器２１の発停頻度等の指標値を円グラフで提示すれば、各期間で発生したイベントの比率を利用者が容易に把握することができる。
【００４７】
このように、本実施形態の運転情報分析装置１０において、情報分析部１２は、指標値のデータベースＹを装置２０の運転状態の変化に基づいて区切られた期間ごとに生成したり、装置２０のイベント種類別に分類して生成したり、機器２１の種類別に分類して生成する。これにより、情報提示部１３は、様々な態様で当該指標値のデータベースＹを分析結果Ｚとして利用者にわかりやすく提示することができる。この結果、利用者が装置２０の運転状況や異常兆候を評価し、不要な運転操作、調整不良箇所等を短時間で効率的に発見することができるため、装置２０の運用改善の検討や装置２０の運用者への改善提案をより行いやすくすることが可能となる。
【００４８】
以上説明したように、運転情報分析装置１０では、装置２０の運転状態の変化に基づいて区切られる期間ごとに、装置２０の運転中に発生したイベント情報Ｘを整理して当該装置２０の運転状況の評価に用いる指標値を生成して蓄積し、蓄積された指標値を利用者に提示する。これにより、装置２０の運転状態が変化するごとに区切られて生成及び提示された装置２０の指標値を利用者が確認することができる。従って、運転情報分析装置１０によれば、装置２０の運転状況をより正確に評価することができる。
【００４９】
また、運転状態の変化は、発電機２１ｇの負荷の変化である。これにより、発電機２１ｇの負荷の変化に応じて、より正確に指標値を評価することができる。なお、運転状態の変化は、発電機２１ｇ以外の他の機器２１のいずれかの負荷の変化であってもよい。
【００５０】
また、運転状態の変化は、発電機２１ｇを駆動するための機器２１（例えば、ガスタービンや蒸気タービン等）において使用される燃料の種類の変化である。これにより、発電機２１ｇを駆動するための機器２１に使用される燃料の種類の変化に応じて、より正確に指標値を評価することができる。なお、運転状態の変化は、発電機２１ｇを駆動するための機器２１以外の機器２１において使用される燃料の種類の変化であってもよい。
【００５１】
また、イベント情報Ｘは、装置２０の警報に関する情報、機器２１の操作に関する情報、機器２１の運転状態に関する情報、及び運転情報分析装置１０で発生したシステム警報に関する情報を含み、情報分析部１２は、イベント情報Ｘの種類別に分類して指標値を生成し、情報提示部１３は、イベント情報Ｘの種類別に分類された指標値を利用者に提示する。このように、警報や機器２１の操作、機器２１の運転状態といった装置２０に関するイベント情報Ｘごとに指標値を分類して利用者に提示することで、利用者が装置２０の運転状況を容易に評価することができる。
【００５２】
また、情報分析部１２は、機器２１の種類別に分類して指標値を生成し、情報提示部１３は、機器２１の種類別に分類された指標値を利用者に提示する。このように、装置２０に含まれる機器２１ごとに指標値を分類して利用者に提示することで、利用者が装置１１０の運転状況を容易に評価することができる。
【００５３】
また、情報提示部１３は、利用者によって任意に区切られた期間ごとに指標値を提示する。これにより、利用者が確認したい期間における指標値だけを提示させることができるため、利用者が装置２０の運転状況を容易に評価することが可能となる。
【００５４】
[第２実施形態]
次に、第２実施形態にかかる運転情報分析装置１０Ｂについて説明する。図１２は、運転情報分析装置１０Ｂを示すブロック図である。運転情報分析装置１０Ｂは、第１実施形態の運転情報分析装置１０の情報収集部１１に代えて、情報収集部１１Ｂを、運転情報分析装置１０の情報分析部１２に代えて、情報分析部１２Ｂを、情報提示部１３に代えて、情報提示部１３Ｂを備える。なお、情報収集部１１Ｂ、情報分析部１２Ｂ、及び情報提示部１３Ｂの機能は、以下に説明するものを除き、第１実施形態の情報収集部１１、情報分析部１２、及び情報提示部１３と同様であるため、重複する機能についての説明は、省略する。
【００５５】
情報収集部１１Ｂは、第１実施形態の情報収集部１１の機能に加えて、装置２０の制御装置２２から各機器２１のプロセス量Ｐを取得し、情報分析部１２Ｂへと送信する機能を有する。なお、情報収集部１１Ｂのその他の機能は、第１実施形態の情報収集部１１と同様であるため、説明を省略する。
【００５６】
情報分析部１２Ｂは、第１実施形態の情報分析部１２の機能に加えて、上記イベント情報Ｘと、当該イベント情報Ｘに関連したプロセス量Ｐの挙動とを対応させたデータベースＹ２を生成して蓄積する機能を有する。なお、情報分析部１２Ｂのその他の機能は、第１実施形態の情報分析部１２と同様であるため、説明を省略する。
【００５７】
図１３は、イベント情報Ｘと、当該イベント情報Ｘに関連したプロセス量Ｐとの対応関係の一例を示す説明図である。図１３に示す例では、“イベント情報Ｘ”の欄に、機器２１の種類コード、名称および発停動作の具体的内容を表示し、“関連プロセス量Ｐ”の欄に、当該機器２１の発停動作に関連したプロセス量Ｐ（以下、「関連プロセス量Ｐ」という。）の具体的内容を表示している。ただし、イベント情報Ｘは、機器２１の発停動作に関する情報に限られず、装置２０の各機器２１で発生した警報に関する情報、各機器２１の発停動作以外の運転状態に関する情報（いかなる運転モードで運転されているかの情報）、各機器２１の運転操作に関する情報、及び各機器２１の調整操作に関する情報であってもよい。
【００５８】
本実施形態において、図１３に一例を示すイベント情報Ｘと関連プロセス量Ｐとの対応関係は、利用者が予め設定して情報分析部１２Ｂに記憶させておく。ただし、当該対応関係は、予め設定されるものでなく、情報分析部１２Ｂにおいて随時生成されるものであってもよい。この場合、情報分析部１２Ｂは、情報収集部１１Ｂから取得したプロセス量Ｐのうち、イベントの発生時刻の前後の所定期間において挙動が変化しているものを関連プロセス量Ｐとすればよい。情報分析部１２Ｂは、図１３に示す対応関係に従って、情報収集部１１Ｂから取得したイベント情報Ｘの発生時刻の前後の所定期間において、関連プロセス量Ｐの値を時系列に並べたデータベースＹ２を生成して蓄積する。
【００５９】
情報提示部１３Ｂは、分析結果Ｚの提示と同様に、情報分析部２０Ｂにより蓄積されたイベント情報Ｘと関連プロセス量Ｐの挙動とを対応させたデータベースＹ２を分析結果Ｚ２として利用者に提示する。なお、情報提示部１３Ｂのその他の機能は、第１実施形態の情報提示部１３と同様であるため、説明を省略する。
【００６０】
図１４は、イベント情報Ｘと関連プロセス量Ｐの挙動との分析結果Ｚ２の一例を示す説明図である。図１４に示す例は、装置２０において所定のイベントが発生したタイミングの前後の所定期間における関連プロセス量Ｐの挙動を示す線グラフである。図１４において、横軸は、時刻であり、縦軸は、関連プロセス量Ｐの値である。これにより、イベント発生前後におけるプロセス量Ｐの挙動を容易に把握することができる。この結果、利用者がイベントの発生原因をより効率的に分析することが可能となる。すなわち、利用者が装置２０の運転状況や異常兆候をより的確かつ細やかに評価し、不要な運転操作、調整不良箇所等をさらに効率的に発見することができる。なお、分析結果Ｚ２は、線グラフに限られず、プロセス量Ｐの値を時系列に並べた表や、他の形式のグラフであってもよい。
【００６１】
[第３実施形態]
次に、第３実施形態にかかる運転情報分析装置１０Ｃについて説明する。図１５は、運転情報分析装置１０Ｃを示すブロック図である。運転情報分析装置１０Ｃは、第２実施形態の運転情報分析装置１０Ｂの情報分析部１２Ｂに代えて、情報分析部１２Ｃを備える。なお、運転情報分析装置１０Ｃのその他の構成は、運転情報分析装置１０Ｂと同様であるため、説明を省略する。また、情報分析部１２Ｃの機能は、以下に説明するものを除き、第２実施形態の情報分析部１２Ｂと同様であるため、重複する機能についての説明は、省略する。
【００６２】
情報分析部１２Ｃは、機器２１の更新または修繕（オーバーホール）が行われたときに、当該更新または修繕が行われた機器２１と関連する指標値のデータベースＹの蓄積を一旦停止し、新たに指標値のデータベースＹを生成して蓄積する。また、情報分析部１３Ｃは、機器２１の更新または修繕が行われたときに、当該更新または修繕が行われた機器２１と関連する、イベント情報Ｘと関連プロセス量Ｐの挙動とを対応させたデータベースＹ２の蓄積を一旦停止し、新たに当該データベースＹ２を生成して蓄積する。
【００６３】
本実施形態において、更新または修繕が行われた機器２１と関連する指標値のデータベースＹ、並びに、更新または修繕が行われた機器２１と関連するイベント情報Ｘと関連プロセス量Ｐの挙動とを対応させたデータベースＹ２は、利用者が予め設定して情報分析部１２Ｂに記憶させておく。ただし、更新または修繕が行われた機器２１と関連する指標値のデータベースＹ、並びに、更新または修繕が行われた機器２１と関連する上記データベースＹ２は、予め設定されるものでなく、情報分析部１２Ｃにおいて随時生成されるものであってもよい。この場合、情報分析部１２Ｃは、機器２１の更新または修繕が行われた前後において値が突発的に変化している指標値のデータベースＹ、イベント情報Ｘと関連プロセス量Ｐの挙動とを対応させたデータベースＹ２を、当該更新または修繕が行われた機器２１と関連するデータベースＹ、データベースＹ２とすればよい。
【００６４】
これにより、機器２１の更新または修繕が行われるごとに、様々な態様で当該指標値のデータベースＹを分析結果Ｚとして、イベント情報Ｘと関連プロセス量Ｐの挙動とを対応させたデータベースＹ２を分析結果Ｚ２として利用者にわかりやすく提示することができる。この結果、利用者が装置２０の運転状況や異常兆候を評価し、不要な運転操作、調整不良箇所等を短時間で効率的に発見することができるため、装置２０の運用改善の検討や装置２０の運用者への改善提案をより行いやすくすることが可能となる。
【００６５】
また、機器２１の更新または修繕が行われる前後で、指標値の変化を対比することができる。従って、機器２１の更新または修繕によって、装置２０の運転状況にどのような影響を与えたかという効果の対比を容易に行い、機器２１の更新または修繕の前後における優劣を容易に評価することが可能となる。また、機器２１の更新または修繕が行われる前後で、イベントが発生した際の関連プロセス量Ｐの挙動の変化を対比することができる。従って、イベントの発生原因をさらに効率的に分析することが可能となる。なお、機器２１の更新または修繕が行われる前後で、イベントの発生頻度を例えば図１０に示すような円グラフで対比させて示す等すれば、機器２１の更新または修繕が行われた前後の装置２０の運転状況の変化を利用者によりわかりやすく提示することができる。
【００６６】
なお、情報分析部１２Ｃは、機器２１の更新または修繕（オーバーホール）が行われたときに、当該更新または修繕が行われた機器２１と関連する指標値のデータベースＹの蓄積のみを一旦停止し、新たに指標値のデータベースＹのみを生成して蓄積するものとしてもよい。この場合、情報収集部１１Ｃは、装置２０のプロセス量Ｐを収集する機能を有さなくてもよく、情報分析部１２Ｃは、イベント情報Ｘと関連プロセス量Ｐの挙動とを対応させたデータベースＹ２を生成して蓄積するものでなくてもよい。
【００６７】
また、情報分析部１２Ｃは、機器２１の更新または修繕（オーバーホール）が行われたときに、当該更新または修繕が行われた機器２１と関連する、イベント情報Ｘと関連プロセス量Ｐの挙動とを対応させたデータベースＹ２の蓄積のみを一旦停止し、新たに当該データベースＹ２のみを生成して蓄積するものとしてもよい。
【符号の説明】
【００６８】
１０，１０Ｂ，１０Ｃ  運転情報分析装置
１１，１１Ｂ  情報収集部
１２，１２Ｂ，１２Ｃ  情報分析部
１３，１３Ｂ  情報提示部
２０  装置
２１  機器
２１ｇ  発電機
２２  制御装置
Ｐ  プロセス量
Ｘ  イベント情報
Ｙ，Ｙ２  データベース
Ｚ，Ｚ２  分析結果
【図１】
2018018233.tif 000003
【図２】
2018018233.tif 000004
【図３】
2018018233.tif 000005
【図４】
2018018233.tif 000006
【図５】
2018018233.tif 000007
【図６】
2018018233.tif 000008
【図７】
2018018233.tif 000009
【図８】
2018018233.tif 000010
【図９】
2018018233.tif 000011
【図１０】
2018018233.tif 000012
【図１１】
2018018233.tif 000013
【図１２】
2018018233.tif 000014
【図１３】
2018018233.tif 000015
【図１４】
2018018233.tif 000016
【図１５】
2018018233.tif 000017